(57)【要約】【課題】窓を段違いに連結しても水密性及び気密性を確実に確保できる連結窓を提供する。【解決手段】上下枠及び左右の縦枠を枠組みしてなる枠体内に障子またはパネル体を納めた窓を方立６及び無目７を介して横方向及び縦方向に複数連結してなり、窓のうち方立６を介して第１窓２と第２窓３が連結され、第２窓３の上方及び／または下方には無目７を介して第３窓４が連結され、方立６の端部のうち第３窓４が設けられる側には塞ぎキャップ３０が設けられ、塞ぎキャップ３０は方立６の端面を含む第１窓２と第２窓３の連結端面を塞ぐ方立側面３２と、無目７の端面を含む第２窓３と第３窓４の連結端面を塞ぐ無目側面３１と、無目側面３１及び方立側面３２の室外端部において室外側に面した室外側面３３とを有してなる。【選択図】図３
2010024661.tif 000002
【特許請求の範囲】
【請求項１】
上下枠及び左右の縦枠を枠組みしてなる枠体内に障子またはパネル体を納めた窓を方立及び無目を介して横方向及び縦方向に複数連結してなる連結窓において、
前記窓のうち前記方立を介して第１窓と第２窓が連結され、該第２窓の上方及び／または下方には無目を介して第３窓が連結され、前記方立の端部のうち前記第３窓が設けられる側には塞ぎキャップが設けられ、
前記塞ぎキャップは前記方立の端面を含む前記第１窓と第２窓の連結端面を塞ぐ方立側面と、前記無目の端面を含む前記第２窓と第３窓の連結端面を塞ぐ無目側面と、該無目側面及び方立側面の室外端部において室外側に面した室外側面とを有することを特徴とする連結窓。
【請求項２】
前記第１窓と第２窓及び第３窓の連結窓の外周面を構成する面にはそれぞれフィン部が突出状に設けられ、前記塞ぎキャップの室外側面は前記第１窓と第３窓のフィン部の各端部を覆うことを特徴とする請求項１記載の連結窓。
【請求項３】
前記方立は前記第１窓と第２窓の各縦枠と対向する連結面部を有し、該連結面部は長手方向に沿ってビスを挿通可能な方立ビスホール部を有し、前記塞ぎキャップは方立側面に前記方立ビスホール部と連通する方立固定孔を有することを特徴とする請求項１または２記載の連結窓。
【請求項４】
前記第３窓の前記無目を介して第２窓と連結される上下枠は長手方向に沿ってビスを挿通可能な枠ビスホール部を有し、前記塞ぎキャップは無目側面に前記枠ビスホール部と連通する枠固定孔を有することを特徴とする請求項１〜３のいずれか１項に記載の連結窓。
【請求項５】
前記塞ぎキャップは前記無目側面が延長されて前記第２窓側に延出された縦枠連結部を備え、該縦枠連結部は前記第２窓の縦枠に固定されることを特徴とする請求項４記載の連結窓。
【発明の詳細な説明】
【技術分野】
【０００１】
本発明は複数の窓を連結してなる連結窓に関し、特に互いに段違いに配置された複数の窓を有してなる連結窓に関する。
【背景技術】
【０００２】
従来、枠体内に障子またはパネル体を納めてなる窓を、横方向あるいは縦方向に複数連結してなる連結窓が知られている。連結窓は、横方向に連結される場合には縦枠間に方立が設けられ、縦方向に連結される場合には上下枠間に無目が設けられ、これらを介して連結されていた。このような連結窓は、例えば方立により横方向に連結したものとして特許文献１に挙げるようなものがある。
【特許文献１】特開平１０−３１７８１５号公報
【発明の開示】
【発明が解決しようとする課題】
【０００３】
従来の連結窓は、連結される２枚の窓は、横方向に連結される場合には縦辺が同じ高さであり、また縦方向に連結される場合には横辺が同じ高さであった。これに対し、このような態様に限られず、窓を段違い状に配置することで、よりデザインの自由度を高めたいという需要がある。
【０００４】
しかし、窓を段違い状に配置しようとした場合、少なくとも１か所に枠体の外周面が交わる角部が生じる。この角部における水密性及び気密性を確保するのが困難であるため、これまで窓を段違い状に配置した連結窓は提供されることがなかった。
【０００５】
本発明は前記課題を鑑みてなされたものであり、窓を段違いに連結しても水密性及び気密性を確実に確保できる連結窓を提供することを目的とする。
【課題を解決するための手段】
【０００６】
前記課題を解決するため、本発明に係る連結窓は、上下枠及び左右の縦枠を枠組みしてなる枠体内に障子またはパネル体を納めた窓を方立及び無目を介して横方向及び縦方向に複数連結してなる連結窓において、
前記窓のうち前記方立を介して第１窓と第２窓が連結され、該第２窓の上方及び／または下方には無目を介して第３窓が連結され、前記方立の端部のうち前記第３窓が設けられる側には塞ぎキャップが設けられ、
前記塞ぎキャップは前記方立の端面を含む前記第１窓と第２窓の連結端面を塞ぐ方立側面と、前記無目の端面を含む前記第２窓と第３窓の連結端面を塞ぐ無目側面と、該無目側面及び方立側面の室外端部において室外側に面した室外側面とを有することを特徴として構成されている。
【０００７】
また、本発明に係る連結窓は、前記第１窓と第２窓及び第３窓の連結窓の外周面を構成する面にはそれぞれフィン部が突出状に設けられ、前記塞ぎキャップの室外側面は前記第１窓と第３窓のフィン部の各端部を覆うことを特徴として構成されている。
【０００８】
さらに、本発明に係る連結窓は、前記方立は前記第１窓と第２窓の各縦枠と対向する連結面部を有し、該連結面部は長手方向に沿ってビスを挿通可能な方立ビスホール部を有し、前記塞ぎキャップは方立側面に前記方立ビスホール部と連通する方立固定孔を有することを特徴として構成されている。
【０００９】
さらにまた、本発明に係る連結窓は、前記第３窓の前記無目を介して第２窓と連結される上下枠は長手方向に沿ってビスを挿通可能な枠ビスホール部を有し、前記塞ぎキャップは無目側面に前記枠ビスホール部と連通する枠固定孔を有することを特徴として構成されている。
【００１０】
そして、本発明に係る連結窓は、前記塞ぎキャップは前記無目側面が延長されて前記第２窓側に延出された縦枠連結部を備え、該縦枠連結部は前記第２窓の縦枠に固定されることを特徴として構成されている。
【発明の効果】
【００１１】
本発明に係る連結窓によれば、方立を介して第１窓と第２窓が連結され、第２窓の上方及び／または下方には無目を介して第３窓が連結され、方立の端部のうち第３窓が設けられる側には塞ぎキャップが設けられ、塞ぎキャップは方立の端面を含む第１窓と第２窓の連結端面を塞ぐ方立側面と、無目の端面を含む第２窓と第３窓の連結端面を塞ぐ無目側面と、無目側面及び方立側面の室外端部において室外側に面した室外側面とを有することにより、第１窓と第２窓及び第３窓の各コーナー部が突き合わされた部分に形成される角部に生じる隙間を塞ぐことができるので、塞ぎキャップの周縁部にコーキング材を設けることによって、連結窓の角部における気密性及び水密性を容易に確保することができる。
【００１２】
また、本発明に係る連結窓によれば、第１窓と第２窓及び第３窓の連結窓の外周面を構成する面にはそれぞれフィン部が突出状に設けられ、塞ぎキャップの室外側面は第１窓と第３窓のフィン部の各端部を覆うことにより、フィン部の連結部分において生じる隙間を確実に塞ぐことができ、連結窓の角部における気密性及び水密性をより確実なものとすることができる。
【００１３】
さらに、本発明に係る連結窓によれば、方立は第１窓と第２窓の各縦枠と対向する連結面部を有し、連結面部は長手方向に沿ってビスを挿通可能な方立ビスホール部を有し、塞ぎキャップは方立側面に方立ビスホール部と連通する方立固定孔を有することにより、方立による連結端面側において塞ぎキャップと方立との連結を簡易な構造で確実になすことができる。
【００１４】
さらにまた、本発明に係る連結窓によれば、第３窓の無目を介して第２窓と連結される上下枠は長手方向に沿ってビスを挿通可能な枠ビスホール部を有し、塞ぎキャップは無目側面に枠ビスホール部と連通する枠固定孔を有することにより、無目による連結端面側において塞ぎキャップと各枠体との連結を簡易な構造で確実になすことができる。
【００１５】
そして、本発明に係る連結窓によれば、塞ぎキャップは無目側面が延長されて第２窓側に延出された縦枠連結部を備え、縦枠連結部は第２窓の縦枠に固定されることにより、塞ぎキャップにより第２窓と第３窓を連結してこれらの連結強度を大きくすることができる。
【発明を実施するための最良の形態】
【００１６】
本発明の実施形態について、図面に沿って詳細に説明する。図１には、本実施形態における連結窓１の斜視図を示している。この図に示すように、本実施形態の連結窓１は、第１窓２と第２窓３及び第３窓４を、階段状に連結してなるものである。第１窓２と第２窓３は、方立６を介して横方向に連結され、第２窓３と第３窓４は、無目７を介して縦方向に連結される。また、３つの窓のコーナー部が突き合わされる角部には、塞ぎキャップ３０が設けられてこれを被覆する。
【００１７】
図２には、連結窓１の正面図を示している。この図は連結窓を室外側から見たものである。図２に示すように、第１窓２と第２窓３及び第３窓４は、いずれも上枠１２と下枠１３及び左右の縦枠１４、１４を方形状に枠組みしてなる枠体１０内に、ガラス板からなるパネル体１１を納めて構成されている。
【００１８】
第１窓２には、連結窓１の外周面を構成する上枠１２と下枠１３及び縦枠１４の三方に渡ってフィン部１５が形成されており、また第２窓３には連結窓１の外周面を構成する下枠１３及び縦枠１４の二方に渡ってフィン部１５が形成されており、さらに第３窓４には連結窓１の外周面を構成する上枠１２と縦枠１４の三方に渡ってフィン部１５が形成されている。このフィン部１５は、建物躯体に対して室外側から当接し、ビス止めされることにより、連結窓１を建物躯体に対して固着する。
【００１９】
図３には、連結窓１の分解斜視図を示している。この図では、第２窓３と第３窓４は、無目７により予め連結されている。無目７により連結された部分の第１窓２側端面は、第２窓３の縦枠１４と第３窓４の縦枠１４の間に、隙間２０が生じている。また、方立６は、第１窓２及び第２窓３と略同じ高さを有するように形成されており、対向する第１窓２の縦枠１４と第２窓３の縦枠１４を連結する。
【００２０】
図４には、方立６により第１窓２と第２窓３を連結した状態における連結窓１の斜視図を示している。この図に示すように、第１窓２から第３窓４までが階段状に連結された状態では、３つの窓の外周面が交わる角部に隙間が生じる。図５には、連結窓１に生じる角部付近の拡大斜視図を示している。この図に示すように、無目７による連結部分の端部にあたる第２窓３の上枠１２と第３窓４の下枠１３との間には、隙間２０が生じており、また、方立６による連結部分の上端部にあたる第１窓２の上枠１２と第２窓３の上枠１２との間には、隙間２１が生じている。さらに、第１窓２の上枠１２に形成されたフィン部１５と第３窓４の縦枠１４に形成されたフィン部１５との間にも、隙間２２が生じている。これらの隙間２０、２１、２２を塞ぐように、塞ぎキャップ３０が設けられる。
【００２１】
図６には、塞ぎキャップ３０の斜視図を示している。塞ぎキャップ３０は、樹脂材を成形してなり、互いに略直交する三面を有するように形成されている。塞ぎキャップ３０を構成する三面は、この塞ぎキャップ３０を連結窓１に取付けた際に、第２窓３と第３窓４の連結端面に生じる隙間２０を覆う無目側面３１と、第１窓２と第２窓３の連結端面に生じる隙間２１を覆う方立側面３２と、第１窓２のフィン部１５と第３窓４のフィン部１５との間に生じる隙間２２を覆う室外側面３３とからなっている。
【００２２】
塞ぎキャップ３０のそれぞれの面には、下枠１３や方立６あるいは無目７との連結をなすビスを挿通する貫通孔が形成されている。図６に示すように、無目側面３１には、無目７に対して固定をなすための無目固定孔３５が一か所に形成され、第３窓４の下枠１３に対して固定をなすための枠固定孔３７が二か所に形成されている。なお、一方の枠固定孔３７には、下枠１３の形状に応じて固定できるように、２つの孔が設けられている。
【００２３】
方立側面３２には、方立６に対して固定をなすための方立固定孔３６が形成されている。また、室外側面３３には、建物躯体に対して固定をなすための躯体固定孔３８が形成されている。前述のように、第１窓２の上枠１２のフィン部１５と第３窓４の縦枠１４のフィン部１５との間には、隙間２２が形成されるため、室外側面３３の躯体固定孔３８から挿通されたビスは、この隙間２２から建物躯体に対して固定される。
【００２４】
図７には図２のＡ−Ａ断面図を、図８には図２のＢ−Ｂ断面図を、図９には図２のＣ−Ｃ断面図を、図１０には図２のＤ−Ｄ断面図を、それぞれ示している。図７と図９に示すように、第１窓２は上枠１２と下枠１３が断面中空状に形成され、縦枠１４は方立６または建物躯体と対向する対向面部１４ａと、対向面部１４ａの内周面に設けられパネル体１１を保持するパネル体保持部１４ｂとを有して構成されている。また、上枠１２と下枠１３もそれぞれ内周面にパネル体保持部１２ａ、１３ａを備えており、これらによってパネル体１１を保持するようにしている。
【００２５】
図８と図９、図１０に示すように、第２窓３と第３窓４も、第１窓２と同様の構成を有している。すなわち、上枠１２と下枠１３はそれぞれパネル体保持部１２ａ、１３ａを有すると共に断面中空状に形成され、縦枠１４は方立６または建物躯体と対向する対向面部１４ａとパネル体保持部１４ｂとを有して構成されている。また、第２窓３の上枠１２には、中空部内に長手方向に沿った上枠ビスホール部１２ｂが形成され、第３窓４の下枠１３には、中空部内に長手方向に沿った２つの下枠ビスホール部１３ｂが形成されている。
【００２６】
図８に示すように、第２窓３と第３窓４は、無目７を介して連結されている。無目７は、第３窓４の下枠１３及び第２窓３の上枠１２の間に配置されてこれらと対向する連結面部７ａと、連結面部７ａの室外側寄りに形成される係合部７ｂと、連結面部７ａの係合部７ｂより室内側寄りに設けられる当接部７ｃと、連結面部７ａの室内端部に形成される連結部７ｄとを有している。連結面部７ａには、室内外方向中間位置に、長手方向に沿った無目ビスホール部７ｇが形成されている。
【００２７】
第３窓４の下枠１３と第２窓３の上枠１２には、それぞれ無目７の係合部７ｂに係合可能な無目係合部１２ｃ、１３ｃが形成されている。また、無目７の当接部７ｃには、タイト材７ｅが保持され、このタイト材７ｅが第３窓４の下枠１３と第２窓３の上枠１２の各外周面に当接して、気密性を確保するようにしている。無目７の連結部７ｄは、外周側に延出するように形成されており、第３窓４の下枠１３と第２窓３の上枠１２にそれぞれ当接し、ネジ止めされることによって無目７と各枠とを連結する。さらに、連結部７ｄの室内側には、樹脂カバー体７ｆが設けられて、金属の露出面を覆うようにしている。
【００２８】
図９に示すように、第１窓２と第２窓３は、方立６を介して連結されている。方立６は、第１窓２と下構成窓５の縦枠２４の間に配置されてこれらと対向する連結面部６ａと、連結面部６ａの室外側端部に形成される係合部６ｂと、連結面部６ａの室内外中間位置に設けられる当接部６ｃと、連結面部６ａの室内端部に形成される連結部６ｄとを有している。連結面部６ａには、室内外方向中間位置に、長手方向に沿った方立ビスホール部６ｇが形成されている。
【００２９】
第１窓２の縦枠１４と第２窓３の縦枠１４には、それぞれ方立６の係合部６ｂに係合可能な方立係合部１４ｃ、１４ｃが形成されている。また、方立６の当接部６ｃには、タイト材６ｅが保持され、このタイト材６ｅが第１窓２の縦枠１４と第２窓３の縦枠１４の各外周面に当接して、気密性を確保するようにしている。方立６の連結部６ｄは、外周側に延出するように形成されており、第１窓２の縦枠１４と第２窓３の縦枠１４に室内側からそれぞれ当接し、ネジ止めされることによって方立６と各枠とを連結する。さらに、連結部６ｄの室内側には、樹脂カバー体６ｆが設けられて、金属の露出面を覆うようにしている。
【００３０】
図８には、塞ぎキャップ３０が破線で表わされている。塞ぎキャップ３０の無目側面３１に形成された無目固定孔３５は、無目７の無目ビスホール部７ｇと連通しており、無目固定孔３５に挿通されたビスは、無目ビスホール部７ｇに対して螺合される。また、塞ぎキャップ３０の無目側面３１に形成された枠固定孔３７は、それぞれ第３窓４の下枠１３に形成された下枠ビスホール部１３ｂに連通しており、枠固定孔３７に挿通されたビスは、下枠ビスホール部１３ｂに対して螺合される。
【００３１】
図９にも塞ぎキャップ３０が表わされており、さらに塞ぎキャップ３０で塞がれた方立６が破線で示されている。この図に示すように、塞ぎキャップ３０の方立側面３２に形成された方立固定孔３６は、方立６の連結面部６ａに形成された方立ビスホール部６ｇと連通しており、方立固定孔３６に挿通されたビスは、方立ビスホール部６ｇに対して螺合される。
【００３２】
このように、塞ぎキャップ３０が各窓のコーナー部分が突き合わされて形成された角部に設けられて、無目７による第２窓３と第３窓４の連結部分に生じる隙間２０と、方立６による第１窓２と第２窓３の連結部分に生じる隙間２１と、第１窓２のフィン部１５と第３窓４のフィン部１５との間に生じる隙間２２とを塞ぐように、三面を有して構成されているので、塞ぎキャップ３０の周縁部にコーキング材を設けることによって、連結窓１の角部における気密性及び水密性を容易に確保することができる。
【００３３】
本実施形態の場合、第１窓２と第２窓３及び第３窓４を方立６及び無目７を介して連結することで、図４の状態とし、さらに３つの窓のコーナー部分が突き合わされた角部に対して塞ぎキャップ３０を取付ける。すなわち、先に連結窓１を組んでから塞ぎキャップ３０を取付けるので、連結窓１の設置作業における作業手順の自由度が大きく、作業を効率的に行うことができる。
【００３４】
また、連結窓１の構成は、これまで説明したものには限られない。図１１には、連結窓１を下階段状に構成した場合の斜視図を示している。図１等に示した連結窓１は、各窓により形成される段差が上方を向く上階段状に構成したが、図１１では各窓により形成される段差が下方を向く下階段状に構成されている。すなわち、第１窓２と第２窓３は第１の実施形態と同様に方立６を介して横方向に連結され、第３窓４は第２窓３の下方に無目７を介して連結される。そして、第１窓２と第２窓３及び第３窓４の各コーナー部が突き合わされる段差の角部には、塞ぎキャップ３０が設けられる。
【００３５】
図１２には、図１１に示した連結窓１の分解斜視図を示している。この連結窓１においても、無目７により連結された部分の第１窓２側端面は、第２窓３の縦枠１４と第３窓４の縦枠１４の間に、隙間２０が生じる。また、方立６は、第１窓２及び第２窓３と略同じ高さを有するように形成されており、対向する第１窓２の縦枠１４と第２窓３の縦枠１４を連結する。
【００３６】
図１３には、塞ぎキャップ３０の斜視図を示している。連結窓１には、方立６が設けられる第１窓２と第２窓３の連結端面と、図１２にも示す第２窓３と第３窓４の連結端面、及び第１窓２と第３窓４の各フィン部１５の間とに、それぞれ隙間が生じるので、それに対応して塞ぎキャップ３０には互いに略直交するように無目側面３１と方立側面３２及び室外側面３３が形成されている。
【００３７】
このように、連結窓１を上階段状のみならず下階段状となるように構成することができ、その際には図１３に示す塞ぎキャップ３０を用いることにより、第１窓２と第２窓３及び第３窓４の各コーナー部が突き合わされた角部に生じる隙間を塞いで、確実に気密性及び水密性の確保を図ることができる。また、連結窓１を下階段状に構成する場合においても、先に各窓を連結して下階段状を構成した後に、塞ぎキャップ３０を取付けることができる。
【００３８】
次に、本発明の第２の実施形態について説明する。図１４には、本実施形態における連結窓１の分解斜視図を示している。本実施形態の連結窓１は、完成した状態の外観は図１に示すものと同じである。すなわち、第１窓２と第２窓３及び第３窓４と、方立６及び無目７の構成は、第１の実施形態と同様である。一方、本実施形態では３つの窓のコーナー部分が突き合わされる段差の角部に、第１の実施形態とは異なる形状を有する塞ぎキャップ５０を設ける。
【００３９】
図１５には、本実施形態で用いられる塞ぎキャップ５０の斜視図を示している。この図に示すように、塞ぎキャップ５０は、第１の実施形態と同様に、第２窓３と第３窓４の連結端面に生じる隙間を覆う無目側面５１と、第１窓２と第２窓３の連結端面に生じる隙間を覆う方立側面５２と、第１窓２のフィン部１５と第３窓４のフィン部１５との間に生じる隙間を覆う室外側面５３とを有している。一方で、無目側面５１は方立側面５２よりも下方に延出されており、この延出部分で縦枠連結部５４を構成している。
【００４０】
図１６には、図７と同じ断面で切った連結窓１の断面図を示している。この図に示すように、縦枠連結部５４は、第２窓３の縦枠１４側面に当接し、第２窓３の上枠１２に対してビス止め固定がなされる。そのために、縦枠連結部５４には長孔状の枠固定孔５７が形成されている。この枠固定孔５７は、第２窓３の上枠１２に形成された上枠ビスホール部１２ｂと連通しており、枠固定孔５７に挿通されたビスは、上枠ビスホール部１２ｂに対して螺合される。
【００４１】
塞ぎキャップ５０が縦枠連結部５４を有していることにより、第２窓３と第３窓４は塞ぎキャップ５０によって連結される。このため図１４に示すように、塞ぎキャップ５０は方立６により第１窓２と第２窓３が連結される前に、第２窓３と第３窓４に対して取付けられた状態となっている。すなわち、本実施形態の連結窓１を組み立てるにあたっては、第２窓３と第３窓４を無目７を介して連結すると共に塞ぎキャップ５０を第２窓３と第３窓４に固定し、その上で方立６を介して第１窓２を連結する手順を取る必要がある。
【００４２】
このため、第１の実施形態に比べて組立手順が限定されるものの、塞ぎキャップ５０によって第２窓３の縦枠１４と第３窓４の縦枠１４を連結することとなり、これらの連結強度を大きくすることができる。
【００４３】
また、第１の実施形態と同様、下り階段状の連結窓１に対しても、本実施形態の塞ぎキャップ５０を用いることができる。図１７には、下り階段状の場合における連結窓１の斜視図を示している。この図に示すように、第２窓３と第３窓４の連結側面には、予め塞ぎキャップ５０が取付けられる。
【００４４】
図１８には、連結窓１を下り階段状に構成した場合の塞ぎキャップ５０の斜視図を示している。この図に示すように、無目側面５１は方立側面５２よりも上方に延出されて縦枠連結部５４を構成しており、縦枠連結部５４は第２窓３の縦枠１４に当接し、ビス止めされることにより、第２窓３と第３窓４とを連結するようにしている。
【００４５】
以上、本発明の実施形態について説明したが、本発明の適用はこれらの実施形態には限られず、その技術的思想の範囲内において様々に適用されうるものである。これらの実施形態では、３枚の窓を上方または下方に向かう段差状に連結したものを示したが、窓の枚数及び連結方向は、これらには限られない。
【００４６】
例えば、第１の実施形態において第２窓３の第１窓２と反対側に該第１窓２と同様の窓を方立６を介して横方向に連結し、４枚の窓からなる連結窓としてもよい。同様に、第２窓３の下方に第３窓３と同様の窓を無目７を介して縦方向に連結し、４枚の窓からなる連結窓としてもよい。または、第２窓３の側方及び下方の両方にそれぞれ方立６と無目７を介して窓を連結し、５枚の窓を十字状に連結してなるようにしてもよい。いずれの場合においても、３枚の窓が突き合わされる角部に、それぞれ塞ぎキャップ３０を設けることで、角部における気密性及び水密性を容易に確保することができる。
【００４７】
また、本実施形態では、連結窓１を構成する窓は、いずれも枠体内にパネル体を直接納めた所謂嵌め殺し窓であるが、その他の種類の窓であってもよく、例えば辷り出し窓や開き窓、突き出し窓やルーバー窓などであってもよい。
【図面の簡単な説明】
【００４８】
【図１】第１の実施形態における連結窓の斜視図である。
【図２】連結窓の正面図である。
【図３】連結窓の分解斜視図である。
【図４】方立により第１窓と第２窓を連結した状態における連結窓の斜視図である。
【図５】連結窓に生じる角部付近の拡大斜視図である。
【図６】塞ぎキャップの斜視図である。
【図７】図２のＡ−Ａ断面図である。
【図８】図２のＢ−Ｂ断面図である。
【図９】図２のＣ−Ｃ断面図である。
【図１０】図２のＤ−Ｄ断面図である。
【図１１】連結窓を下階段状に構成した場合の斜視図である。
【図１２】図１１に示した連結窓の分解斜視図である。
【図１３】塞ぎキャップの斜視図である。
【図１４】第２の実施形態における連結窓の分解斜視図である。
【図１５】第２の実施形態で用いられる塞ぎキャップの斜視図である。
【図１６】図７と同じ断面で切った第２の実施形態の連結窓の断面図である。
【図１７】下り階段状の場合における連結窓の斜視図である。
【図１８】連結窓を下り階段状に構成した場合の塞ぎキャップの斜視図である。
【符号の説明】
【００４９】
１    連結窓
２    第１窓
３    第２窓
４    第３窓
６    方立
６ａ  連結面部
６ｇ  方立ビスホール部
７    無目
７ａ  連結面部
７ｇ  無目ビスホール部
１０    枠体
１１    パネル体
１２    上枠
１２ｂ  上枠ビスホール部
１３    下枠
１３ｂ  下枠ビスホール部
１４    縦枠
１５    フィン部
３０    塞ぎキャップ
３１    無目側面
３２    方立側面
３３    室外側面
３４    縦枠連結部
３５    無目固定孔
３６    方立固定孔
３７    枠固定孔
３８    躯体固定孔
【図１】
2010024661.tif 000003
【図２】
2010024661.tif 000004
【図３】
2010024661.tif 000005
【図４】
2010024661.tif 000006
【図５】
2010024661.tif 000007
【図６】
2010024661.tif 000008
【図７】
2010024661.tif 000009
【図８】
2010024661.tif 000010
【図９】
2010024661.tif 000011
【図１０】
2010024661.tif 000012
【図１１】
2010024661.tif 000013
【図１２】
2010024661.tif 000014
【図１３】
2010024661.tif 000015
【図１４】
2010024661.tif 000016
【図１５】
2010024661.tif 000017
【図１６】
2010024661.tif 000018
【図１７】
2010024661.tif 000019
【図１８】
2010024661.tif 000020